(57)【要約】【課題】  カカト上部は表面部外周を同一の形に形成する。くつの高さが同一のくつのカカト部位置にカカト上部を固定する。内周面部を装着できるように形成した取りつけ枠部と基体とからなるカカト下部を同一の高さに形成されて、表面部外周を形のちがう形に数多く形成され、これらのカカト下部をカカト上部に装着して利用できる。【解決手段】  カカト上部Ａは、前面部８上部７先端から外方にだして逆コ字状にし、当て止め部１と、前面部８の中央に溝穴部３と、下部６の中央から上方にＹ字状の軸穴部２を２５ｍｍ設ける。カカト下部Ｂは、前面部１７上部１５先端の左右を２〜３ｍｍほどのこしてその他の先端を３ｍｍ下方にさげて、左右とともに外方に出して左右はそのままにし、その他は逆コ字状にし、上方は当て止め部９と、下方はつ字形状部１０と、前面部１７の中央に円形の穴１１を設けた取りつけ枠部１３を有する基体１２と、該基体１２の上部中央から下部１６の中央まで円形の軸穴部１４を設ける。【選択図】      図１
2005261884.tif 000002
【特許請求の範囲】
【請求項１】
前面部の上部の先端を外方に２ｃｍほどだして、逆コ字状にして、当て止め部（１）と、前面部の中央部位置から少し上方に、溝穴部（３）と、該溝穴の中に、円形の中空の内部にネジ山の軸（５）を接着剤で固定し、下部中央部位置から上方に２５ｍｍほど、Ｙ字状の軸穴部（２）と、該軸穴の中に、Ｙ字状の円形の中空の軸（４）とを入れて接着剤で固定してから構成されたカカト上部（Ａ）および、前面部の上部の先端の左右の先端部を２〜３ｍｍほどのこして、その他の先端部を下方に３ｍｍほどさげて、左右にのこした先端部と、下方に３ｍｍほどさげた先端部とを外方に、２ｃｍほどだして、左右の先端部をそのままにし、下方に３ｍｍほどさげた先端部を、逆コ字状にし、上方は、当て止め部（９）として、下方は、左右と、下方とともに、つ字形状部（１０）と、前面部の中央部位置から少し上方に、円形の穴（１１）とを有する取りつけ枠部（１３）とからなる基体（１２）と、該基体の上部の中央部位置から下部の中央部位置まで、円形の軸穴部（１４）と該基体の上部中央部位置の軸穴から、円形の中空の軸（１８）の一方をいれて、その他の一方は該基体の上部から上方に２ｃｍほどだして、接着剤で固定してから構成されたカカト下部（Ｂ）である、くつのカカト部を、カカト上部とカカト下部とに分離して、カカト上部にカカト下部を装着する装置。
【発明の詳細な説明】
【技術分野】
【０００１】  本発明は、くつのカカトの高さが同一のくつのカカト部位置に、カカト上部の表面部外周を同一に形成した、カカト上部を取りつける。
そして、カカト上部の表面部外周に、内周面部を装着できるように形成した取りつけ枠部とからなる基体とから形成されたカカト下部が形成されて、該カカト下部の基体の高さを、カカト上部にカカト下部を装着して、くつのカカトの高さが同一に、なるように形成する。
そして、カカト下部の表面部外周をいろいろな形に変えて形成されたカカト下部を数多く装着して利用できる、くつのカカト上部とカカト下部とに分離して、カカト上部にカカト下部を装着する装置に関する。
【背景技術】
【０００２】  背景の、くつのカカトは、いろいろな形に変えて形成された、これらのカカト表面部外周に、くつと同色か同色でない素材を張りつけられて、一足のくつのカカト部位置に、一種類のカカトだけを取りつけて利用されている。
しかし、一足のくつのカカト部位置に、形のちがうカカトを取りつけたくつを利用するには、数多くのくつが有する問題点と、多額な費用が有する問題点を有していた。
【発明の開示】
【発明が解決しようとする課題】
【０００３】  本発明は、背景技術の有するこのような問題点を解決するものであり、その目的とするところは、くつのカカト部を、カカト上部とカカト下部とに分離した、カカト上部は、表面部外周を同一の形に形成される。そして、カカト下部は、取りつけ枠部の内周面部を、カカト上部の表面部外周に装着できるように、形成した取りつけ枠部とからなる基体とから形成される。【０００４】  そして、カカトの高さが同一の高さのくつは、いろいろな形のちがう形に形成されている、これらのくつのカカト部位置に、表面部外周を同一の形に形成されたカカト上部を取りつけて、これらのカカト上部に、カカト下部を装着すると、カカトの高さが同一であるように、形成されたカカト下部であり、いろいろなくつの形がちがうくつのカカト部位置に取りつけているカカト上部に、カカト下部を装着して利用することができる、くつのカカト部を、カカト上部とカカト下部とに分離して、カカト上部にカカト下部を装着する装置を提供しようとしている。
【課題を解決するための手段】
【０００５】  上記目的を達成するために、本発明のくつのカカト部を、カカト上部とカカト下部とに分離して、カカト上部にカカト下部を装着する装置においては、カカト上部の表面部外周を同一の形に形成して、前面部の上部の先端から外方に２ｃｍほどだして、逆コ字状にして、当て止め部を設けて、前面部の中央部位置から少し上方に溝穴部を設けて、該溝穴の中に、円形の中空の内部にネジ山の軸をいれて接着剤で固定し、カカト上部の下部の中央部位置から上方に、２５ｍｍほど、Ｙ字状の軸穴部を設けて、該軸穴の中に、Ｙ字状の円形の中空の軸をいれて接着剤で固定してからカカト上部を構成する。【０００６】  カカト下部は、取りつけ枠部の内周面部を、カカト上部の表面部外周に、装着できるように形成して、前面部の上部の先端の左右の先端部を２〜３ｍｍほどのこして、その他の先端部を下方に３ｍｍほどさげて、左右にのこした先端部と、下方に３ｍｍほどさげた先端部とを外方に、２ｃｍほどだして、左右の先端部をそのままにして、下方に３ｍｍほどさげた先端部を、逆コ字状にして、上方は、当て止め部に形成して、下方は、左右とともに、つ字形状部に形成する、前面部の中央部位置から少し上方に円形の穴を設けた取りつけ枠部とからなる基体と、該基体の上部の中央部位置から下部の中央部位置まで円形の軸穴部を設けて、該軸穴の中に、該基体の上部の中央部位置から、円形の中空の軸の一方をいれて、他方の一方は、該基体の上部から上方に２ｃｍほどだして接着剤で固定してからカカト下部を構成する。
【発明の効果】
【０００７】  上記の構成したカカト上部を、くつのカカト部位置に取りつけて、該取りつけたカカト上部に、上記の構成したカカト下部を装着すると、カカト上部の前面部の上部に設けている、当て止め部に、カカト下部の前面部の上部に設けている、当て止め部が当たることで、カカト上部にカカト下部が装着し、カカト下部の前面部に設けている円形の穴からネジをいれて、カカト上部の前面部に固定している円形の中空の内部にネジ山の軸、該ネジ山に、ネジで、カカト上部に、カカト下部を固定することで、カカト上部から、カカト下部のはずれと、回転を防ぐことができる。【０００８】  そして、カカトの高さが同一の、くつは、形のちがう形に数多く形成されていて、これらのくつのカカト部位置に、かかと上部が取りつけられる、カカト上部にカカト下部を装着したときに、同一の高さになるように形成された、カカト下部の表面部外周を形のちがう形にいろいろ形成して、これらのカカト下部を、カカト上部に数多く装着して利用できる。
【発明を実施するための最良の形態】
【０００９】  カカト上部の表面部外周を同一の形に形成する、該表面部外周を同一の形に形成するのは、くつのカカトの高さは、いろいろな高さになっているので、カカトの高さが同一をあらわすためと、きめるためにするものである。
そして、カカト上部の前面部の上部の先端を外方に２ｃｍほどだして逆コ字状にして、当て止め部を設ける、該当て止め部を設けるのは、カカト下部の取りつけ枠部の前面部の上部の先端を、左右を２〜３ｍｍほどのこして、その他の先端を３ｍｍほど下方にさげて、左右にのこした先端部と、下方に３ｍｍほどさげた先端部とを外方に、２ｃｍほどだして、左右の先端部をそのままにして、下方に３ｍｍほどさげた先端部を、逆コ字状にして、上方は当て止め部に形成して、下方は、左右とともに、つ字形状部に形成している、該上方は当て止め部に形成していることは、カカト上部にカカト下部が装着したときに、カカト上部の当て止め部に、カカト下部の当て止め部が当たることで装着でき、また、下方につ字形状部に形成しているのは、カカト下部が、カカト上部に装着すれば、カカト下部が装着したことがよくわかる。
そして、カカト上部の前面部の中央部位置から少し上方に溝穴部を設けて、この溝穴の中に、円形の中空の内部にネジ山の軸をいれて接着剤で固定する、該ネジ山の軸を固定するのは、カカト下部の前面部に設けている円形の穴から、ネジをいれて、カカト上部にカカト下部を装着したときに、カカト上部のネジ山に、ネジをまわして、カカト上部にカカト下部を固定するためである。
そして、カカト上部の下部の中央部位置から上方に、２５ｍｍほど、Ｙ字状の軸穴部を設けて、この軸穴の中に、Ｙ字状の円形の中空の軸をいれて接着剤で固定する。【００１０】  そして、カカト下部の、基体の上部の中央部位置から上方に２ｃｍほどでている、円形の中空の軸の一方が、カカト上部の下部の中央部位置から上方に固定しているＹ字状の円形の中空の軸の中に、カカト上部にカカト下部を確実に装着でき、また、円形の中空の軸のはたらきで、カカト下部の基体の横ズレと、強度を得ることができる。
【実施例】
【００１１】  実施例について図面を参照して説明すると。【００１２】  図１において、カカト上部Ａとカカト下部Ｂが、構成されているので、カカト上部Ａを、くつＣのカカト部位置に固定して、カカト上部Ａに、カカト下部Ｂが装着すると、カカト上部Ａの前面部８の上部の先端を外方にコ字状にして当て止め部１と、下部の中央部位置から上方に設けているＹ字状の軸穴部２の中に、Ｙ字状の円形の中空の軸４を固定しているのと、前面部８の中央部位置から少し上方に軸穴部３の中に、円形の中空の内部にネジ山の軸５を固定している、カカト下部Ｂの基体１２の上部中央部位置から下方に一方をいれて固定し、その他の一方は上方にでている、円形の中空の軸１８がはいり、前面部の上部の当て止め部９が、カカト上部Ａの当て止め部１にあたって、カカト上部Ａにカカト下部Ｂが装着する、カカト下部Ｂの前面部に設けている円形の穴１１から、ネジをいれて、カカト上部Ａの前面部８の中央に固定している、該ネジ山に、ネジをまわして、カカト下部Ｂをカカト上部Ａに固定して、カカト下部Ｂが装着される。【００１３】  図２において、カカト上部Ａの前面部８の上部７の先端を外方に、２ｃｍほどだして、逆コ字状にして、当て止部１を設けて、前面部８の中央部位置から少し上方に溝穴部３を設けて、下部６の中央部位置から上方に、２５ｍｍほど、Ｙ字状の軸穴部２を設けてからカカト上部Ａが形成される。【００１４】  図３において、カカト上部Ａに設けているＹ字状の軸穴部２の中にいれて固定するための、Ｙ字状の円形の中空の軸４である。【００１５】  図４において、カカト上部Ａの前面部８のところに、設けている溝穴部３の中にいれて固定するための、円形の中空の内部にネジ山の軸５である。【００１６】  図５において、カカト上部Ａの下部６の中央部位置から上方に設けているＹ字状の軸穴部２の中に、Ｙ字状の円形の中空の軸４をいれて、接着剤で固定し、前面部８のところに設けている溝穴部３の中に円形の中空の内部にネジ山の軸５をいれて、接着剤で固定してから、構成されたカカト上部Ａである。【００１７】  図６において、前面部１７の上部１５の先端の左右の先端を２〜３ｍｍほどのこして、その他の先端部を下方に３ｍｍほどさげて、左右の先端部とともに、下方にさげた先端部を外方に２ｃｍほどだして、逆コ字状にして、上方は、下方にさげた先端部を当て止め部９に形成し、下方は、左右の先端部とともに、つ字形状部に形成し、前面部１７の中央部位置から少し上方に、円形の穴１１を設けた取りつけ枠部１３とからなる基体１２と、該基体１２の上部の中央部位置から下部１６の中央部位置まで、円形の軸穴部１４を設けてから、カカト下部Ｂが形成される。【００１８】  図７において、カカト下部Ｂの基体１２の上部の中央部位置から下部１６の中央部位置までに設けている円形の軸穴部１４の中に、一方をいれて固定するための、円形の中空の軸１８である。【００１９】  図８において、カカト下部Ｂの基体１２の上部の中央部位置から下部１６の中央部位置までに設けている円形の軸穴部１４は、該基体１２の上部の中央部の軸穴１４から、円形の中空の軸１８の一方をいれて、その他の一方は該基体１２の上部から上方に２ｃｍほどでるようにして、接着剤で固定してから構成されたカカト下部Ｂである。
【産業上の利用可能性】
【００２０】  くつのカカト部を、カカト上部とカカト下部とに分離して、カカト上部にカカト下部を装着する装置においては、カカト上部の下部の中央部位置から上方に設けたＹ字状に設けたＹ字状の軸穴部の中に固定した、Ｙ字状の円形の中空の軸と、前面部の上部の先端部を外方に形成した当て止め部と、前面部に設けた溝穴部に固定している円形の中空の内部にネジ山の軸とから構成されたカカト上部に、カカト下部が装着されると、カカト上部の前面部の上部の当て止め部に、カカト下部の前面部の上部の当て止め部を当て止めし、カカト上部の下部に固定しているＹ字状の円形の中空の軸の中には、カカト下部の基体の上部から上方にでている一方の円形の中空の軸が、カカト下部が装着したときにはいるので、カカト下部の前面部に設けている円形の穴からネジをいれて、カカト上部の前面部に固定している、該ネジ山にネジをまわして、カカト上部にカカト下部を固定するので、簡単にカカト下部を確実に装着することができる。【００２１】  また、カカト下部の、基体の上部の中央部位置から、上方にでている、円形の中空の軸の一方が、カカト上部の下部の中央部位置から上方に固定している、Ｙ字状の円形の中空の軸の中に、カカト上部にカカト下部が装着すると、はいることで、カカト下部の基体の強度を得ることができ、また、カカト上部とカカト下部の密着度がよりよくなる。【００２２】  そして、同一の高さで、いろいろな形のちがう形に形成されているくつのカカト部位置に、表面部外周を同一の形に形成されたカカト上部を、固定すれば、これらのカカト上部に、内周面部が、カカト上部の表面部外周の形に、装着できるように形成した取りつけ枠部と基体とからなる、同一の高さのカカト下部を装着することができる。【００２３】  また、表面部外周を同一の形に形成されたカカト上部を、一足のくつのカカト部位置に固定し、該固定されたカカト上部に、同一の高さになるカカト下部の表面部外周を、いろいろな形のちがう形にかえて形成されたカカト下部を数多く装着して利用することができる。
【図面の簡単な説明】
【００２４】
【図１】  くつのカカト部を、カカト上部とカカト下部とに分離して、くつのカカト部位置に固定されたカカト上部に、カカト下部を装着した状態を示した、左立面断面図である。
【図２】  カカト上部を、形成された状態を示した、左立面斜視図である。
【図３】  カカト上部の下部に設けたＹ字状の軸穴部の、該軸穴の中にいれて固定する、Ｙ字状の円形の中空の軸を示した、立面斜視図である。
【図４】  カカト上部の前面部に設けた溝穴部の、該溝穴の中にいれて固定する、円形の中空の内部にネジ山の軸を示した、立面斜視図である。
【図５】  カカト上部を、構成された状態を示した、左立面断面図である。
【図６】  カカト下部を、形成された状態を示した、左立面斜視図である。
【図７】  カカト下部の基体の上部の中央の軸穴から一方を入れて固定する、円形の中空の軸を示した、立面斜視図である。
【図８】  カカト下部を、構成された状態を示した、左立面断面図である。
【符号の説明】
【００２５】        Ａ          カカト上部
Ｂ          カカト下部
Ｃ          くつ
１・９      当て止め部
２          Ｙ字状の軸穴部
３          溝穴部
４          Ｙ字状の円形の中空の軸
５          円形の中空の内部にネジ山の軸
６・１６    下部
７・１５    上部
８・１７    前面部
１０        つ字形状部
１１        円形の穴
１２        基体
１３        取りつけ枠部
１４        円形の軸穴部
１８        円形の中空の軸
【図１】
2005261884.tif 000003
【図２】
2005261884.tif 000004
【図３】
2005261884.tif 000005
【図４】
2005261884.tif 000006
【図５】
2005261884.tif 000007
【図６】
2005261884.tif 000008
【図７】
2005261884.tif 000009
【図８】
2005261884.tif 000010
【手続補正書】
【提出日】平成16年3月29日(2004.3.29)
【手続補正１】
【補正対象書類名】明細書
【補正対象項目名】０００１
【補正方法】変更
【補正の内容】
【技術分野】
【０００１】
本発明は、くつのカカトの高さが同一のくつのカカト部位置に、カカト上部の表面部外周を同一に形成した、カカト上部を取りつける。
そして、カカト上部の表面部外周に、内周面部を装着できるように形成した取りつけ枠部とからなる基体とから形成されたカカト下部が形成されて、該カカト下部の基体の高さを、カカト上部にカカト下部を装着して、くつのカカトの高さが同一に、なるように形成する。
そして、カカト下部の表面部外周をいろいろな形に変えて形成されたカカト下部を数多く装着して利用できる、くつのカカト部を、カカト上部とカカト下部とに分離して、カカト上部にカカト下部を装着する装置に関する。
【手続補正書】
【提出日】平成16年3月31日(2004.3.31)
【手続補正１】
【補正対象書類名】明細書
【補正対象項目名】００２０
【補正方法】変更
【補正の内容】
【産業上の利用可能性】
【００２０】
くつのカカト部を、カカト上部とカカト下部とに分離して、カカト上部にカカト下部を装着する装置においては、カカト上部の下部の中央部位置から上方に設けたＹ字状の軸穴部の中に固定した、Ｙ字状の円形の中空の軸と、前面部の上部の先端部を外方に形成した当て止め部と、前面部に設けた溝穴部に固定している円形の中空の内部にネジ山の軸とから構成されたカカト上部に、カカト下部が装着されると、カカト上部の前面部の上部の当て止め部に、カカト下部の前面部の上部の当て止め部を当て止めし、カカト上部の下部に固定しているＹ字状の円形の中空の軸の中には、カカト下部の基体の上部から上方にでている一方の円形の中空の軸が、カカト下部が装着したときにはいるので、カカト下部の前面部に設けている円形の穴からネジをいれて、カカト上部の前面部に固定している、該ネジ山にネジをまわして、カカト上部にカカト下部を固定するので、簡単にカカト下部を確実に装着することができる。